(57)【要約】【課題】    木製円柱棒に、スライド、脱着、固定指圧が容易にできる指圧具を装着した健康器具を提供する。【解決手段】    １本長さと太さの異なる３本連結した木製円柱棒を設け、その円柱棒上に指圧具及び、手持ちハンドルのスライドと着脱自在の半円柱溝と、更に回転、スライド防止の半円球穴を円柱溝上に設ける。指圧具の形状は、中心軸となる塩化ビニールパイプを設け、鉄球を設け、鉄球装着穴を有する、塩化ビニールパイプを設け、鉄球圧力固定の強化プラスチックパイプを設け、板状生ゴム、板状スポンジ、板状弾力ゴムを設け、これらの材料を用い、塩化ビニールパイプ上に、鉄球を置き、強化プラスチックパイプを装着し、板状生ゴムで複数巻き接着。指圧部分は塩化ビニールパイプ上に、板状弾力ゴムを３列ロール巻き接着。一方は塩化ビニールパイプ上に、厚めの板状スポンジをロール巻き接着。手持もハンドル部分は指圧具作成と同じであり、異なる個所は、指圧具の指圧部分である板状弾力ゴ厶、板状スポンジが、中穴スポンジに変る。以上を特徴とする健康器具。【選択図】  図１
2005131339.tif 000002
【特許請求の範囲】
【請求項１】
蝶番い、木ねじ、プラグを使い、１本長さと太さの異なる、３本連結した木製円柱棒を設け、その円柱棒上に、指圧具、手持ちハンドルのスライドと着脱自在の半円柱溝を設け、回転、スライド防止の半円球穴を半円柱溝に設け、次に２種類の指圧具の形状は、鉄球を設け、中心軸となる鉄球装着穴を有する塩化ビニールパイプを設け、鉄球を圧力固定する為の鉄球装着穴と一部を切り欠いた、強化プラスチックパイプを設け、板状生ゴムを設け、板状弾力ゴムを設け、板状スポンジを設け、これらの材料を用い、塩化ビニールパイプ上に鉄球を置き、次に強化プラスチックパイプの鉄球装着穴に、鉄球を合わせ装着、次に板状生ゴ厶で強化プラスチックパイプ上を複数巻き接着し、指圧具の指圧部分には、塩化ビニールパイプ上に、板状弾力ゴムを３段階の高低差で３列ロール巻き接着、一方は塩化ビニールパイプ上に、厚めの板状スポンジをロール巻き接着、この各指圧具を木製円柱棒の半円柱溝に鉄球を合わせ装着、手持ちハンドル部分は鉄球を設け中心軸となる鉄球装着穴を有する塩化ビニールパイプを設け鉄球に圧力固定するための鉄球装着穴と一部を切り欠いた強化プラスチックパイプを設け、板状生ゴムを設け、中空スポンジを設け、これらの材料を用い、塩化ビニールパイプ上に鉄球を置き、次に強化プラスチックパイプの鉄球装着穴に、鉄球を合わせ装着、次に板状生ゴムで強化プラスチックパイプ上を複数巻き接着し、中空スポンジを装着、また、木製円柱棒のかわりに金型で作成する強化プラスチックによる円柱棒も可能であり、指圧具の形状の異なる指圧具も使用可能であることを特徴とした指圧器具である。
【発明の詳細な説明】
【技術分野】
【０００１】  本発明は、木製円柱棒にスライド、脱着及び固定が容易にできる指圧具を装着した、健康器具に関するものである。
【背景技術】
【０００２】  従来丸型の円柱棒に指圧具などがついた健康器具があった。
【発明の開示】
【発明が解決しようとする課題】
【０００３】  そのために、次のような問題点があった。
（イ）指圧部分が細く、固めで、指圧幅が固定されているため痛みがあり、ツボをコントロールしながら、安定指圧するのが大変難しかった
（ロ）継続指圧が大変難しいことと、体の一部しか指圧できないという不便さがあった。
本発明はこれらの問題点を解決するためになされたものである。
【課題を解決するための手段】
【０００４】  蝶番い、木ネジ、プラグを使い、１本長さと太さの異なる、３本連結した木製円柱棒を設け、その円柱棒上に指圧具、手持ちハンドルのスライドと着脱自在の半円柱溝を設け、また回転、スライド防止の半円球穴を半円柱溝に設け、次に２種類の指圧具の形状は、まず鉄球を設け中心軸となる鉄球装着穴を有する塩化ビニールパイプを設け、鉄球を圧力固定する為の鉄球装着穴と、一部を切り欠いた、強化プラスチックパイプを設け、板状生ゴムを設け、板状弾力ゴ厶を設け、板状スポンジを設け、これらの材料を用い、まず塩化ビニールパイプ上に鉄球を置き、次に強化プラスチックパイプの鉄球装着穴に鉄球を合わせ装着、次に板状生ゴムで強化プラスチックパイプ上を複数巻き接着。
次に指圧具の指圧部分には、塩化ビニールパイプ上に、板状弾力ゴ厶を３段階の高低差をつけ、３列ロール巻き接着。一方は塩化ビニールパイプ上に、厚めの板状スポンジをロール巻き接着、この各指圧具を木製円柱棒の半円柱溝に鉄球を合わせ装着。手持ちハンドル部分は、鉄球を設け中心軸となる鉄球装着穴を有する塩化ビニールパイプを設け、鉄球に圧力固定するための鉄球装着穴と、一部を切り欠いた強化プラスチックパイプを設け、板状生ゴ厶を設け、中空スポンジを設け、これらの材料を用い、まず塩化ビニールパイプ上に鉄球を置き、次に強化プラスチックパイプの鉄球装着穴に、鉄球を合わせ装着。次に板状生ゴ厶で、強化プラスチックパイプ上を複数巻き接着し、中空スポンジを装着。また木製円柱棒のかわりに、金型で作成する強化プラスチックによる円柱棒も可能であり、指圧具の形状の異なる指圧具も使用可能であることを特徴とした指圧器具である。
【発明の効果】
【０００５】  両手を使い、指圧の加減調整とバランスをとることにより、指圧部分の安定と、ゴム及びスポンジによる心地良さが伝わり、痛みも少なく、更に広範囲の指圧が可能で、きわめて安全で便利である。
【発明を実施するための最良の形態】
【０００６】  以下、本発明の実施の形態について説明する。
（イ）蝶番い、木ネジ、プラグを使い、１本長さと太さの異なる、３本連結した木製円柱棒（１）を設ける。その円柱棒上に、指圧具（２）：手持ちハンドル（３）のスライドと、着脱自在の半円柱溝（４）を設ける。また回転、スライド防止の半円球穴（５）を半円柱溝（４）に設ける。次に２種類の指圧具（２）の形状は、まず鉄球（６）を設け、中心軸となる鉄球装着穴（７）を有する塩化ビニールパイプ（８）を設け、鉄球（６）を圧力固定するための鉄球装着穴（７）と、一部を切り欠いた強化プラスチックパイプ（９）を設け、板状生ゴム（１０）を設け、板状弾力ゴム（１１）を設け、板状スポンジ（１２）を設ける。
（ロ）これらの材料を用い、まず塩化ビニールパイプ（８）上に鉄球（６）を置き、次に強化プラスチックパイプ（９）の鉄球装着穴（７）に鉄球（６）を合わせ装着する。次に板状生ゴム（１０）で強化プラスチックパイプ（９）上を複数巻き接着する。次に指圧具（２）の指圧部分（１３）には、塩化ビニールパイプ（８）上に、板状弾力ゴム（１１）を３段階の高低差をつけ、３列ロール巻き接着する。一方は塩化ビニールパイプ（８）上に、厚めの板状スポンジ（１２）をロール巻き接着する。この各指圧具（２）を木製円柱棒（１）の半円柱溝（４）に鉄球（６）を合わせ装着する。
また指圧具（２）の中心軸である、塩化ビニールパイプ（６）を取り巻く半円球穴（５）、鉄球（７）、強化プラスチック（８）、板状生ゴム（９）、板状弾力ゴ厶（１０）、板状スポンジ（１１）はしっかり固定され、安全性が高く、安定した指圧ができる。
【実施例１】
【０００７】  図３に示すように、手持ちハンドル（３）を外し、指圧具（２）を取り出し、かわりに指圧部分（１３）が同形の指圧具を２個設け、木製円柱棒（１）の片方に装着し、指圧してもらうこともできる。また体の部位に応じ、木製円柱棒（１）で指圧することも可能である。
【図面の簡単な説明】
【０００８】
【図１】本発明の斜視図
【図２】本発明の一部を切り書いた側面図
【図３】本発明の他の実施例を示す斜視図
【符号の説明】
【０００９】    １    木製円柱棒
２    指圧具
３    手持ちハンドル
４    半円柱溝
５    半円球穴
６    鉄球
７    鉄球装着穴
８    塩化ビニールパイプ
９    強化プラスチックパイプ
１０  板状生ゴム
１１  板状弾力ゴ厶
１２  板状スポンジ
１３  指圧部分
１４  中空スポンジ
【図１】
2005131339.tif 000003
【図２】
2005131339.tif 000004
【図３】
2005131339.tif 000005